(57)【要約】【課題】網具の破損箇所に重畳網が重ねられて面ファスナーで固定され、破損した網が容易に補修される。従来の網具の網が交換されないで、網具に防虫機能が持たせられる。【解決手段】網具１の網（破損網）３または網（無薬剤網）２１に対して、重畳網（修繕網）６または重畳網（薬剤付網）２２が重ねられ、複数の面ファスナー７の微小突起１１が両網３、２１、６、２２の網目４、８を挿通係合する。網６、２２の網目８が小さいときには、網目８が長延出部３６のみを挿通し短延出部３５を挿通せず、網目８が斜めに係合し、網目８が小さくても全く係合しないということがない。【選択図】図１
2007291788.tif 000002
【特許請求の範囲】
【請求項１】
網の破損した箇所に重ねられる重畳網と、
この重畳網の網目と上記破損した破損網の網目との両網目に挿通されて係合される微小突起を複数備えた面ファスナーとを備え、この面ファスナーは当該重畳網と当該破損網との複数箇所において装着され、
上記面ファスナーは、
上記重畳網または上記破損網のいずれかに当接する基部を備え、
上記微小突起は、
この基部から突出し、上記重畳網の網目と上記破損網の網目との両網目を挿通できる長さを有する柱部と、
この柱部から側方へ延出されて、上記基部と反対側の網目に係合する延出部とを備え、この延出部は、上記重畳網の網目と上記破損網の網目との両網目を挿通するときに撓み可能であり、この延出部の幅は、両網目を挿通した後は当該両網目の幅より大きく、挿通係合後には当該延出部は当該両網目から容易に離脱しないことを特徴とする網補修具。
【請求項２】
薬剤の付いていない無薬剤網に重ねられる薬剤の付いている重畳網と、
この重畳網の網目と上記無薬剤網の網目との両網目に挿通されて係合される微小突起を複数備えた面ファスナーとを備え、この面ファスナーは当該重畳網と当該無薬剤網との複数箇所において装着され、
上記面ファスナーは、
上記重畳網または上記無薬剤網のいずれかに当接する基部を備え、
上記微小突起は、
この基部から突出し、上記重畳網の網目と上記無薬剤網の網目との両網目を挿通できる長さを有する柱部と、
この柱部から側方へ延出されて、上記基部と反対側の網目に係合する延出部とを備え、この延出部は、上記重畳網の網目と上記無薬剤網の網目との両網目を挿通するときに撓み可能であり、この延出部の幅は、両網目を挿通した後は当該両網目の幅より大きく、挿通係合後には当該延出部は当該両網目から容易に離脱しないことを特徴とする防虫網具。
【請求項３】
上記延出部は上記柱部から上記基部に向かって複数の方向に複数延出され、しかもこの複数の延出部の柱部からの延出位置の高さは異なるとともに、当該各延出部と柱部との接合範囲は当該複数の延出部それぞれにつき一部重複していることを特徴とする請求項１または２記載の網補修具または防虫網具。
【請求項４】
上記各延出部と柱部との接合範囲が重複している各延出部の延出長さは、基部からより高いほうの延出部の方が大きいまたは小さいことを特徴とする請求項３記載の網補修具または防虫網具。
【請求項５】
上記複数の延出部の柱部からの延出位置の高さは異なるとともに、当該各延出部と柱部との接合範囲が互いに重複していない延出部もさらに設けられており、これら接合範囲が重複していない延出部の間の上記柱部の太さまたは幅は、これ以外の柱部の太さまたは幅より細いまたは太いことを特徴とする請求項３または４記載の網補修具または防虫網具。
【請求項６】
網の破損した箇所に重畳網を重ねる工程と、
この重畳網の網目と上記破損した破損網の網目との両網目に、面ファスナーの複数の微小突起を挿通させて係合させるとともに、この面ファスナーを当該重畳網と当該破損網との複数箇所において装着させる工程とを備えた網具の生産方法であって、
上記面ファスナーは、
上記重畳網または上記破損網のいずれかに当接する基部を備え、
上記微小突起は、
この基部から突出し、上記重畳網の網目と上記破損網の網目との両網目を挿通できる長さを有する柱部と、
この柱部から側方へ延出されて、上記基部と反対側の網目に係合する延出部とを備え、この延出部は、上記重畳網の網目と上記破損網の網目との両網目を挿通するときに撓み可能であり、この延出部の幅は、両網目を挿通した後は当該両網目の幅より大きく、挿通係合後には当該延出部は当該両網目から容易に離脱しないものであることを特徴とする網具の生産方法。
【請求項７】
薬剤の付いていない無薬剤網に薬剤の付いている重畳網を重ねる工程と、
この重畳網の網目と上記無薬剤網の網目との両網目に、面ファスナーの複数の微小突起を挿通させて係合させるとともに、この面ファスナーを当該重畳網と当該無薬剤網との複数箇所において装着させる工程とを備えた防虫網具の生産方法であって、
上記面ファスナーは、
上記重畳網または上記無薬剤網のいずれかに当接する基部を備え、
上記微小突起は、
この基部から突出し、上記重畳網の網目と上記無薬剤網の網目との両網目を挿通できる長さを有する柱部と、
この柱部から側方へ延出されて、上記基部と反対側の網目に係合する延出部とを備え、この延出部は、上記重畳網の網目と上記無薬剤網の網目との両網目を挿通するときに撓み可能であり、この延出部の幅は、両網目を挿通した後は当該両網目の幅より大きく、挿通係合後には当該延出部は当該両網目から容易に離脱しないことを特徴とする防虫網具の生産方法。
【発明の詳細な説明】
【技術分野】
【０００１】
本発明は、環境にやさしい、網戸などの網具の網補修具、防虫網具、網具の生産方法及び防虫網具の生産方法に関する。
【背景技術】
【０００２】
従来、網戸などの網具の網が破損したとき、これを補修するには、破損した網を取り外し、新しい網を網戸などの網具に取り付けていた。この場合、網戸枠に沿って新たな網の周縁にゴムひもを当てて網戸枠の溝の中に押し込んできた。
【０００３】
【特許文献１】特開２００３−１３６７９号公報
【特許文献２】特開２００３−７４２７０号公報
【発明の開示】
【発明が解決しようとする課題】
【０００４】
しかしながら、上記のような網の補修では、網を全て取り替えていたため、網の破損していない部分も交換しなくてはならず、無駄が多く、廃棄物も増え、環境上問題があった。また、網の全てを取り替えるため、補修作業の労力は大きく時間のかかるものであった。
【０００５】
本発明は、上述した課題を解決するためになされたものであり、本件第１発明の目的は、破損した網を容易に補修でき、廃棄物も出ない網具の網補修具及び網具の生産方法を提供することである。また、本件第２発明の目的は、従来の網具の網を交換しないで、網具に防虫機能を持たせ、薬剤を散布しなくて済み環境を汚染しない防虫網具及び防虫網具の生産方法を提供することである。
【課題を解決するための手段】
【０００６】
上記目的を達成するために、本件第１発明は、網の破損した箇所に重ねられる重畳網と、  この重畳網の網目と上記破損した破損網の網目との両網目に挿通されて係合される微小突起を複数備えた面ファスナーとを備え、この面ファスナーは当該重畳網と当該破損網との複数箇所において装着され、  上記面ファスナーは、上記重畳網または上記破損網のいずれかに当接する基部を備え、  上記微小突起は、この基部から突出し、上記重畳網の網目と上記破損網の網目との両網目を挿通できる長さを有する柱部と、この柱部から側方へ延出されて、上記基部と反対側の網目に係合する延出部とを備え、この延出部は、上記重畳網の網目と上記破損網の網目との両網目を挿通するときに撓み可能であり、この延出部の幅は、両網目を挿通した後は当該両網目の幅より大きく、挿通係合後には当該延出部は当該両網目から容易に離脱しないようにした。
【０００７】
また、本件第２発明は、薬剤の付いていない無薬剤網に重ねられる薬剤の付いている重畳網と、  この重畳網の網目と上記無薬剤網の網目との両網目に挿通されて係合される微小突起を複数備えた面ファスナーとを備え、この面ファスナーは当該重畳網と当該無薬剤網との複数箇所において装着され、  上記面ファスナーは、上記重畳網または上記無薬剤網のいずれかに当接する基部を備え、  上記微小突起は、この基部から突出し、上記重畳網の網目と上記無薬剤網の網目との両網目を挿通できる長さを有する柱部と、この柱部から側方へ延出されて、上記基部と反対側の網目に係合する延出部とを備え、この延出部は、上記重畳網の網目と上記無薬剤網の網目との両網目を挿通するときに撓み可能であり、この延出部の幅は、両網目を挿通した後は当該両網目の幅より大きく、挿通係合後には当該延出部は当該両網目から容易に離脱しないようにした。
【発明の効果】
【０００８】
これにより、本件第１発明では、網具の破損箇所に重畳網を重ねて面ファスナーで固定すればよく、破損した網を容易に補修でき、しかも廃棄物も出なくなる等の効果を奏する。また、本件第２発明では、従来の網具の網を交換しないで、網具に防虫機能を持たせ、薬剤を散布しなくて済み、環境を汚染しない等の効果を奏する。薬剤は、殺虫剤、野鳥よけ剤、ねずみよけ剤、その他の昆虫・動物を寄り付かせない薬剤などである。
【０００９】
また、延出位置の高さは異なるとともに、各延出部と柱部との接合範囲は複数の延出部それぞれにつき一部重複して、いわゆる延出部が柱部に対して上下にずれる状態となっている。これにより、１つの網目の両側の２つまたは複数の網線のうち、片方または一部だけでも延出部に挿通係合することができ、種々の異なる寸法の網目、例えば寸法が小さく、全部の延出部を挿通させることができない網目でもであっても、一部の延出部だけでも挿通させて、網を斜めに係合させることができる。
【００１０】
さらに、上記各延出部と柱部との接合範囲が重複している各延出部の延出長さが、基部からより高いほうの延出部の方が大きい。これにより、上記の一部の延出部だけでも挿通させて、網を斜めに係合させた場合でも、この延出部が大きい分だけ、網が外れにくくなる。
【００１１】
特に、小さい網目では基部からより高いほうの延出部が先に挿通するので、こちらの延出部の方が大きければ、その分網が外れにくくなる。逆に、上記各延出部と柱部との接合範囲が重複している各延出部の延出長さが、基部からより高いほうの延出部の方が小さいと、その分網目を挿通させやすくなる。
【００１２】
またさらに、上記複数の延出部の柱部からの延出位置の高さは異なるとともに、当該各延出部と柱部との接合範囲が互いに重複していない延出部もさらに設けられており、これら接合範囲が重複していない延出部の間の上記柱部の太さまたは幅は、これ以外の柱部の太さまたは幅より細くなっている。
【００１３】
これにより、上記接合範囲が重複していない延出部の間の細い柱部に網目の一方の網線を当接すれば、他方の網線を外方により多く出すことができ、この網目を下の延出部に挿通して上記これ以外の柱部まで円滑に挿通させることができる。逆に、接合範囲が重複していない延出部の間の上記柱部の太さまたは幅は、これ以外の柱部の太さまたは幅より太くなっていれば、その分網が外れにくくなる。
【発明を実施するための最良の形態】
【００１４】
（１）網具１及び網補修具２の外観
図１は、網具１及び網補修具２の外観を示す。網具１としては網戸などが考えられる。網補修具２は、重畳網６、及び複数の面ファスナー７…からなっている。重畳網６の網目８は、網具の網３の網目４と、同形同大とされる。場合によって、両網目の大きさは１：２、１：３、２：３、１：４、３：４…など、単純な整数倍比とされることもある。
【００１５】
両網目８の形状は正方形であるが、場合によって長方形、六角形、三角形、八角形などの多角形、円形、楕円形などの曲線形となる。長方形の網目８の縦と横の比率は１：１、１：２、１：３、２：３、１：４、３：４…など、単純な整数倍比とされる。
【００１６】
網具１の網３の網線５の太さ・色・材質と重畳網６の網線９の太さ・色・材質と同じとされるか、近似したものが選ばれる。この材質はステンレス、真鍮、鉄などの金属、ポリプロピレン、ポリエステルなどの樹脂、繊維などである。
【００１７】
また、１つの網３の網線５の太さが異なるものでもよく、この場合太い網線５と細い網線５とが交互、他方が一方の２本おき、３本おき、４本おき、…に配置されたり、複数の太さの網線５…が任意の順番で配列されたりする。
【００１８】
上記重畳網６は網具１の網３が破れたり破損したりした箇所に重ねられ、この両網３、６が重ねられた任意の複数個所に複数の面ファスナー７が装着される。この面ファスナー７…には複数の微小突起１１…が立設されている。この微小突起１１…は、上記両網３、６の両網目４、８に挿通されて係合される。
【００１９】
（２）面ファスナー７及び微小突起１１の構造
図２、図３及び図４は、上記面ファスナー７及び微小突起１１の構造を示す。面ファスナー７は基部１２を備え、この基部１２は方形状の平板状をしており、この基部１２の表面には上記微小突起１２が突出している。この微小突起１１は柱部１３と延出部１４とからなっている。
【００２０】
上記基部１２は、上記重ねられる破損した網３または重畳網６のいずれの側から当接する。上記柱部１３は、基部１２から突出し、この柱部１３の先端から延出部１４、１４が側方へ延出されて、上記基部１２と反対側の網目に係合される。この柱部１３と延出部１４、１４とで錨状、矢印状、きのこ状の形状を形成する。
【００２１】
上記延出部１４、１４は、上記柱部１３の先端から側方へ、上記基部１２に向かって斜めに２つ延出され、この２つの延出部１４、１４は上記柱部１３に対して互いにほぼ１８０度ずれた位置から反対方向に延びるように延出されている。そして、この延出部１４、１４は上記網目４、８の網線５、９とほぼ平行する方向に延びている。
【００２２】
上記柱部１３の長さ／高さつまり基部１２から延出部１４、１４の下縁までの間隔／長さ／高さは、上記重畳網６の網目８と上記破損した網３の網目４との両網目８、４を十分に挿通できる寸法となる。通常は、この間隔／長さ／高さは、両網３、６の両網線５、９の太さの合計値の１．５倍乃至３倍、望ましくは２倍となる。この２倍であると、網線５または９の４つ分の太さとなり、網３、６は通常平織りであるから、１つの網の厚みは、網線５または９の太さの２倍となる。
【００２３】
上記延出部１４、１４は、重畳網６の網目８と上記破損した網３の網目４との両網目４、８を挿通すると、上記基部１２と反対側の網目に係合する。この延出部１４、１４の幅は、当該両網目４、８の幅つまり正方形の網目４、８の幅より大きいが、両網目４、８を挿通するときに撓み可能であり、困難なく挿通可能である。これにより、延出部１４、１４が、網目４、８を挿通係合後には延出部１４、１４は両網目４、８から容易に離脱しない。
【００２４】
これら微小突起１１…は、図３及び図４に示すように、上または横から見ると、つまり図２の左、右または上から見ると、平坦な板状で一列に揃っている。したがって、上記延出部１４、１４の延出方向及び曲がる方向は破損した網３及び重畳網６の網目４、８に対して外方である。
【００２５】
微小突起１１…は平坦な板状で一列に揃っているので、網３、６の網目４、８に微小突起１１…が順次填め込められていくとき、この網目４、８を撓ませるとともに、網目４、８も正方形から変形させて填め込むことができ、延出部１４、１４があっても延出部１４、１４が網目４、８を挿通することができる。
【００２６】
これらの微小突起１１…の面ファスナー７の長手方向の各間隔及び幅方向の各間隔は同じ／等間隔であり、また網３、６の網目４、８の間隔にほぼ一致または整数倍若しくは整数分の１の関係にある。これにより、面ファスナー７の全ての微小突起１１…がずれずに及び漏れなく確実に、網３、６の各網目４、８に係合していくことができる。この間隔は面ファスナー７の長手方向と幅方向とで異なっていてもよい。
【００２７】
上記面ファスナー７…の基部１２…は正方形状であり、微小突起１１…は、１つの面ファスナー７につき、２段×２列の計４個設けられている。各微小突起１１…の間には各網の網線５、９が一本のみ入り込み、網目４、８は入り込まない。そして、各微小突起１１…の延出部１４、１４、…の先端は接触するぐらいに接近している。これにより、各微小突起１１…の間に入り込んだ網線５、９は、ほぼ接触する延出部１４、１４によって塞がれて、網３、６…は面ファスナー７…から容易に外れなくなる。
【００２８】
上記面ファスナー７…は、両網３、６の一方の側からのみ装着され、当該面ファスナー７…には別の面ファスナーが係合されることはない。これにより、面ファスナー７…を装着するとき、網３、６の一方の側からのみ作業を行えばよく、網３、６の両側に人を配置して作業する必要がないし、網３、６の一方の側と他方の側とを行ったり来たりする必要がなくなる。
【００２９】
このような破損した網３としては、家屋の網戸などの網具の網のほか、牛舎、豚舎、鶏舎などの家畜舎の周囲に張られた網、車両の窓に装着される網または網戸の網など、施設や乗り物に設けられた網が考えられる。上記重畳網６は、これら施設／乗り物の室内・車内側から破損した網３に重ねられ、上記面ファスナー７…の基部１２…はこの重畳網３につき、当該施設の室内側から当接して、微小突起１１…は室内側／車内側から挿通し、面ファスナー７…は室内側から取り付けられる。これにより、網３の破損箇所を室内から目立たないようにすることができるし、重畳網６を取り付けるのに室外に出なくても済む。
【００３０】
また、このような重畳網６は室外側から取り付けてもよい。これにより、重畳網６の存在を室内から目立たないようにすることができる。また、このような重畳網６は室内側と室外側との両方から１枚ずつまたは複数枚ずつ取り付けることも可能である。これにより、網３の破損箇所を室内及び室外から挟んでガードすることができ、破損箇所が拡がるのを防ぐことができる。
【００３１】
この面ファスナー７の材質は可撓性を有する、ポリエチレンテレフタレートなどのポリエステル、ポリプロピレンなどのポリオレフィン、ポリ塩化ビニル、ポリスチレン、ポリアミドなどの紫外線に対する耐久性の強い樹脂からなり、基部１２、柱部１３、延出部１４は全て一体製造／一体成型される。この製造方法は射出成型などに基づき、特願２００５−１７５９６４号明細書に開示される。
【００３２】
具体的には、図２に示す面ファスナー７…の形状をした射出穴を有する射出機から面ファスナー７が押し出され、基部１２を残して面ファスナー７の厚み分ずつスライスされるとともに、このスライス刃が射出穴を塞ぎ、この塞がれたままの状態で面ファスナー７が引き出され、そしてスライス刃が射出穴からはずされて、再び射出機から面ファスナー７が押し出され、以上が順次繰り返され、柱部１３と延出部１４、１４とが所定間隔ごとに成型される。
【００３３】
微小突起１１…の向きが斜めになるときは、射出機の射出穴の向きも上記射出方向及び上記引き出し方向に対して斜めにされ、スライス刃の向きも同様に斜めにされる。このような斜め方向は、上記網目４、８の対角線方向に沿っているが、これに限られるものではない。
【００３４】
上記微小突起１１…が微小錨状、微小矢印状または微小キノコ状のように、上方に向かって尖っていると、網３、６の網目４、８が容易に挿通することができる。そして、いったん網目４、８が挿通されると、網目４、８が微小突起１１…から容易にはずれなくなる。
【００３５】
微小突起１１…の延出部１４…は、微小突起１１…の柱部１３に対して互いに正反対の方向に伸びていて互いに同形同大で対称形であるから、微小突起１１…の前後左右にバランスよく力が働いて分散し、微小突起１１…に片寄った力が働かず、微小突起１１…を傾ける力が働きにくく、微小突起１１…から網目４、８がはずれにくい。
【００３６】
また、このように、微小突起１１…の前後左右にバランスよく力が働いて分散し、微小突起１１…に片寄った力が働かないので、微小突起１１…の強度を高める必要がなくなり、微小突起１１…を薄くできる。
【００３７】
また、延出部１４…の延出方向は微小突起１１…から互いに正反対の方向で互いに対称形あるから、網３、６の網目４、８に微小突起１１…を通すとき、微小突起１１…の前後左右にバランスよく力が働き、微小突起１１…に片寄った力が働かず、微小突起１１…を傾ける力が働きにくく、微小突起１１…が網３、６の網目４、８を容易に挿通することができる。微小突起１１…が斜めであると、網３、６の網目４、８を挿通し難い。なお、延出部１４…は柱部１２の両側２カ所ではなく、片側一カ所だけに延出されてもよい。
【００３８】
上記重畳網６がさらに破損したり劣化したりしたきは、面ファスナー７…を取り外し、新しい重畳網６を付け替えて、面ファスナー７…を装着すればよい。
【００３９】
（３）薬剤が付いている重畳網６
図５は、上記破損した網３を薬剤の付いていない無薬剤網２１とし、上記修繕用の重畳網６を薬剤の付いている重畳網２２とした例を示す。この場合、重畳網２２の大きさは元の無薬剤網２１とほぼ同じ大きさとされる。これにより、元の無薬剤網２１の全面にわたって薬剤効果をあげることができる。
【００４０】
このような薬剤としては、殺虫剤、殺鼠剤、野鳥よけ剤、ねずみよけ剤、その他の昆虫・動物を寄り付かせない薬剤、二酸化チタンなどの光触媒剤、トルマリンなど遠赤外線発生剤、マイナスイオン発生剤、防臭剤、除湿剤、加温剤などである。このような薬剤は重畳網２２に塗布するほか、網線９が繊維状の重畳網２２のときは、この繊維の中に付着／織り込むことができる。
【００４１】
このような薬剤を重畳網２２に塗布するときは、空中散布の場合の濃度の数倍乃至数十倍、または数倍乃至十数倍に薄めて塗布してもよい。これは、虫、鼠、鳥などは、必ず網に接触したりとまったりする習性があるので、重畳網２２への接触によって空中散布の濃度より薄めても十分に効果を発揮できる。したがって、薬剤を空中散布しなくて済むので、環境を汚染することがない。
【００４２】
このような薬剤付の重畳網２２は、上述のように室内側に装着される。上記虫などは室外の方が多いが、人間や家畜などに害があるのは室内側の虫などであり、こちらを駆除すれば十分だからである。これにより、無用な殺生をしなくて済み、環境によりやさしいといえる。なお、このような薬剤付の重畳網２２は、鳥インフルエンザ、白ナイルウイルス蚊など、重大な伝染病の防疫目的、その他の理由であれば、室外側にも装着されてもよい。
【００４３】
このような無薬剤網２１と薬剤付の重畳網２２において、他の構成・作用・効果は上述の「（１）網具１及び網補修具２の外観」「（２）面ファスナー７及び微小突起１１の構造」に述べた内容と同じであり、上記網３を無薬剤網２１、上記重畳網６を薬剤付の重畳網２２と置き換えて本件でも記載されているものとする。
【００４４】
（４）第２実施例
図６は第２実施例の正面構造を示す。平面構造と側面構造は上記図３及び図４の第１実施例と同じである。基部１２の表面には上記微小突起１２が突出している。この微小突起１１は柱部１３と延出部１４とからなっている。
【００４５】
柱部１３は太柱部３１と細柱部３２からなり、太柱部３１は細柱部３２より太くまたは幅が広く、細柱部３２は太柱部３１の上に立設されている。この細柱部３２の先端から短延出部３３、３４が側方へ延出されている。この太柱部３１及び／または細柱部３２と短延出部３３、３４とで錨状、矢印状、きのこ状の形状を形成する。
【００４６】
上記短延出部３３、３４は、上記細柱部３２の先端から側方へ、上記基部１２に向かって斜めに２つ延出され、この２つの短延出部３３、３４は上記細柱部３２に対して互いにほぼ１８０度ずれた位置から反対方向に延びるように延出されている。そして、この短延出部３３、３４は上記網目４、８の網線５、９とほぼ平行する方向に延びている。
【００４７】
上記太柱部３１と細柱部３２のとの境界からは、短延出部３５、長延出部３６が側方へ延出されている。上記太柱部３１と短延出部３５、長延出部３６とで錨状、矢印状、きのこ状の形状を形成する。
【００４８】
上記短延出部３５、長延出部３６は、上記太柱部３１と細柱部３２のとの境界から側方へ、上記基部１２に向かって斜めに延出され、この２つの短延出部３５、長延出部３６は上記太柱部３１に対して互いにほぼ１８０度ずれた位置から反対方向に延びるように延出されている。そして、この短延出部３５、長延出部３６は上記網目４、８の網線５、９とほぼ平行する方向に延びていて、上記短延出部３３、３４とも平行で、同一平面上に配置されている。
【００４９】
上記短延出部３５、長延出部３６の柱部３１、３２に対する延出位置の高さは異なるとともに、短延出部３５と柱部３１、３２との短接合範囲３９と、長延出部３６と柱部３１、３２との長接合範囲４０とは一部重複して、短延出部３５と長延出部３６とが柱部３１、３２に対して上下にずれる状態となっている。
【００５０】
したがって、１つの網目８（４）の両側の２つまたは複数の網線９（５）のうち、片方または一部だけでも長延出部３６に挿通係合することができ、種々の異なる寸法の網目８（４）、例えば寸法が小さく、全部の延出部を挿通させることができない網目８（４）でもであっても、図６の網６（２２）（２つのうち上側）に示すように、一部・片方の長延出部３６だけでも挿通させて、重畳網（修繕網）６（場合によって網（破損網）３、網（無薬剤網）２１、重畳網（薬剤付網）２２）を斜めに係合させることができる。したがって、網目８が小さくても全く係合しないということがない。
【００５１】
また、寸法が大きく、全部の延出部を挿通させることができる網目８（４）でもであっても、図６の網６（２２）（２つのうち下側）に示すように、全部の長延出部３５、３６を挿通させて、重畳網（修繕網）６（場合によって網（破損網）３、網（無薬剤網）２１、重畳網（薬剤付網）２２）を確実に係合させることができる。
【００５２】
上記長延出部３６は短延出部３５より基部１２からより高い位置にあり、長延出部３６の延出長さは短延出部３５の延出長さより大きい。したがって、延出部３５、３６の一部の長延出部３６だけでも挿通させて、網６、３、２１、２２を斜めに係合させた場合でも、この長延出部３６が大きい分だけ、網６、３、２１、２２が外れにくくなる。
【００５３】
特に、小さい網目８、４では基部１２からより高いほうの長延出部３６が先に挿通するので、この長延出部３６の方が大きければ、その分網６、３、２１、２２が外れにくくなる。逆に、上記基部１２からより高い長延出部３６の方が小さいと、その分網目８、４を挿通させやすくなる。
【００５４】
上記短延出部３３と細柱部３２との短接合範囲３７と、短延出部３４と細柱部３２との短接合範囲３８はほぼ完全に重複しており、上記短延出部３５と柱部３１、３２との短接合範囲３９と、長延出部３６と柱部３１、３２との長接合範囲４０とは一部重複している。しかし、短接合範囲３７と短接合範囲３９、短接合範囲３７と長接合範囲４０、短接合範囲３８と短接合範囲３９、短接合範囲３８と長接合範囲４０は互いに全く重複せず基部１２からの高さも異なっている。したがって、これら接合範囲３７〜４０が重複していない延出部３３〜３６の間の上記細柱部３２の太さまたは幅は、これ以外の太柱部３１の太さまたは幅より細くなっている。
【００５５】
したがって、上記接合範囲３７〜４０が重複していない延出部３３〜３６の間の細柱部３２に網目８、４の一方の網線９、５を当接すれば、他方の網線９、５を外方により多く出すことができ、この網目８、４を下の長延出部３６に挿通して、上記太柱部３１まで円滑に挿通させることができる。なお逆に、接合範囲３７〜４０が重複していない延出部３３〜３６の間の細柱部３２の太さまたは幅は、これ以外の太柱部３１の太さまたは幅より太くなっていれば、その分網６、３、２１、２２が外れにくくなる。
【００５６】
上記先端の短延出部３３、３４には、もう１つの網６、３、２１、２２の網目４、８が挿通係合される。本実施例における他の構成、作用、動作は、上述または後述する他の実施例と同じであり、本実施例で記載されていないことは、この他の実施例が参照される。
【００５７】
（５）他の実施の形態
本発明は、上記実施例に限定されず、種々変更可能である。例えば、上記面ファスナー７…には、網３、６の反対側から、別の面ファスナーが係合されてもよい。これにより、重畳網６が破損した網３により強固に固定される。微小突起は１つの面ファスナー７…につき数個、十数個、３個乃至２０個、若しくは３個、４個、６個、８個、９個、１０個、１２個または１６個設けられてもよい。この場合、面ファスナー７…の基部１２の形状は正方形／方形／四角形のほか、三角形、六角形、八角形、多角形、円形、楕円形、環状、帯状、十字状、Ｌ字状、Ｔ字状、星形などでもよい。
【００５８】
また、各微小突起１１…の間には各網の網線５、９が二本以上入り込んでもよく、網目４、８が１つ以上入り込んでもよい。これにより、微小突起１１…を網目４、８に入れ込むとき、隣の網線５、９に微小突起１１…が入り込まないので、隣の網線５、９がよく撓んで、微小突起１１…が挿通し易くなる。
【００５９】
さらに、微小突起１１…の幅方向の向きは、網目４、８に対して、平行ではなく、対角線方向つまり斜め方向であってもよい。これにより、微小突起１１…の一方の延出部１４から他方の延出部１４、３３〜３６までの幅を、網目４、８の中の最大寸法＝対角線の長さより若干大きくでき、微小突起１１…を網目４、８からよりはずれにくくできる。
【００６０】
上記微小突起１１…の延出部１４、１４、３３〜３６の数は１つでも良いし、３つ、４つ以上でも良いし、全周囲に渡ってきのこ状に延出されてもよい。このきのこ状のときは、延出部１４、３３〜３６の下面から内側にかけて空洞が形成され、網目４、８を延出部１４、３３〜３６が挿通され通るとき撓み易くされる。
【００６１】
延出部１４、３３〜３６が３つ、４つ…以上にされるときは、各延出部１４、３３〜３６…は、柱部１３に対して互いにほぼ１２０度、９０度、…ずれた位置から外周に向かって延出される。また、上記延出部１４、３３〜３６…の各延出位置の高さは異なっていてもよい。面ファスナー７…は帯状にして、重畳網６、２２の全ての周縁を覆うようにしてもよい。
【００６２】
上記延出部１４、３３〜３６の延出長さはすべて同じでもよいし、すべてがそれぞれ異なっていてもよい。延出部１４、１４、短延出部３３、３４についても、短延出部３５、長延出部３６と同様に上下に若干ずれていてもよい。延出部１４、３３〜３６の数はさらに増えて太柱部３１及び細柱部３２も増えて、微小突起１１…は複数段になってもよい。この場合、３枚以上の網４、８、２１、２２が重ねられて挿通係合されてもよい。
【００６３】
また、１つの網３、６、２１、２２に対して、装着される面ファスナー７…の数は、４つ以下でも、４つ以上でもよく、面ファスナー７…の装着箇所は、網３、６、２１、２２の四隅以外の真ん中、四隅の中間、これらの中間でもよい。
【００６４】
さらに、短延出部３３、３４は、互いに異なる長さであってもよく、一方が他方より長くてもよい。これにより、図６の上側の網３、２１の網目４が小さいときでも、短延出部３３、３４の短い方だけに挿通係合できる。
【００６５】
また、短延出部３３、３４は、短延出部３５または長延出部３６より長くてもよいし、同じ長さでもよい。これにより、図６の上側の網３、２１の網目４が下側の網６、２２の網目８より大きい場合に対応でき、両網３、２１、６、２２をスムーズに挿通係合できる。
【００６６】
さらに、短延出部３５は、長延出部３６より短くてもよいし、同じ長さでもよい。これにより、短延出部３５を網目８（４）が挿通し易くなる。また、太柱部３１は細柱部３２より細くてもよいし、同じ太さでもよい。これにより、図６の上側の網３、２１の網目４が下側の網６、２２の網目８より大きい場合に対応でき、両網３、２１、６、２２をスムーズに挿通係合できる。
【００６７】
さらに、短延出部３５は長延出部３６より上に位置して、短接合範囲３９は長接合範囲４０より上に位置しても良いし、同じ高さに位置してもよい。これにより、網６（２２）の網目８が図６の例より小さいときに、短延出部３６だけでも先に挿通係合させて斜めに挿通係合させることができる。
【００６８】
また、短延出部３３、３４の高さが異なっていて短接合範囲３７、３８の高さが異なっていて、一方が他方より高くてもよい。これにより、網３、２１の網目４が小さいとき、短延出部３３、３４を同時ではなく別々に挿通させて係合させることができる。
【００６９】
（５）他の発明の効果
［１］網の破損した箇所に重ねられる重畳網と、  この重畳網の網目と上記破損した破損網の網目との両網目に挿通されて係合される微小突起を複数備えた面ファスナーとを備え、この面ファスナーは当該重畳網と当該破損網との複数箇所において装着され、上記面ファスナーは、  上記重畳網または上記破損網のいずれかに当接する基部を備え、上記微小突起は、  この基部から突出し、上記重畳網の網目と上記破損網の網目との両網目を挿通できる長さを有する柱部と、  この柱部から側方へ延出されて、上記基部と反対側の網目に係合する延出部とを備え、この延出部は、上記重畳網の網目と上記破損網の網目との両網目を挿通するときに撓み可能であり、この延出部の幅は、両網目を挿通した後は当該両網目の幅より大きく、挿通係合後には当該延出部は当該両網目から容易に離脱しないことを特徴とする網補修具。
【００７０】
［２］薬剤の付いていない無薬剤網に重ねられる薬剤の付いている重畳網と、  この重畳網の網目と上記無薬剤網の網目との両網目に挿通されて係合される微小突起を複数備えた面ファスナーとを備え、この面ファスナーは当該重畳網と当該無薬剤網との複数箇所において装着され、上記面ファスナーは、  上記重畳網または上記無薬剤網のいずれかに当接する基部を備え、上記微小突起は、  この基部から突出し、上記重畳網の網目と上記無薬剤網の網目との両網目を挿通できる長さを有する柱部と、  この柱部から側方へ延出されて、上記基部と反対側の網目に係合する延出部とを備え、この延出部は、上記重畳網の網目と上記無薬剤網の網目との両網目を挿通するときに撓み可能であり、この延出部の幅は、両網目を挿通した後は当該両網目の幅より大きく、挿通係合後には当該延出部は当該両網目から容易に離脱しないことを特徴とする防虫網具。
【００７１】
[３]上記延出部は上記柱部から上記基部に向かって複数の方向に複数延出され、しかもこの複数の延出部の柱部からの延出位置の高さは異なるとともに、当該各延出部と柱部との接合範囲は当該複数の延出部それぞれにつき一部重複していることを特徴とする請求項１または２記載の網補修具または防虫網具。これにより、１つの網目の両側の２つまたは複数の網線のうち、片方または一部だけでも延出部に挿通係合することができ、種々の異なる寸法の網目、例えば寸法が小さく、全部の延出部を挿通させることができない網目でもであっても、一部の延出部だけでも挿通させて、網を斜めに係合させることができる。
【００７２】
[４]上記各延出部と柱部との接合範囲が重複している各延出部の延出長さは、基部からより高いほうの延出部の方が大きいまたは小さいことを特徴とする請求項３記載の網補修具または防虫網具。これにより、上記の一部の延出部だけでも挿通させて、網を斜めに係合させた場合でも、この延出部が大きい分だけ、網が外れにくくなる。特に、小さい網目では基部からより高いほうの延出部が先に挿通するので、こちらの延出部の方が大きければ、その分網が外れにくくなる。逆に、上記各延出部と柱部との接合範囲が重複している各延出部の延出長さが、基部からより高いほうの延出部の方が小さいと、その分網目を挿通させやすくなる。
【００７３】
[５]上記複数の延出部の柱部からの延出位置の高さは異なるとともに、当該各延出部と柱部との接合範囲が互いに重複していない延出部もさらに設けられており、これら接合範囲が重複していない延出部の間の上記柱部の太さまたは幅は、これ以外の柱部の太さまたは幅より細いまたは太いことを特徴とする請求項３または４記載の網補修具または防虫網具。      これにより、上記接合範囲が重複していない延出部の間の細い柱部に網目の一方の網線を当接すれば、他方の網線を外方により多く出すことができ、この網目を下の延出部に挿通して上記これ以外の柱部まで円滑に挿通させることができる。逆に、接合範囲が重複していない延出部の間の上記柱部の太さまたは幅は、これ以外の柱部の太さまたは幅より太くなっていれば、その分網が外れにくくなる。
【００７４】
［６］網の破損した箇所に重畳網を重ねる工程と、  この重畳網の網目と上記破損した破損網の網目との両網目に、面ファスナーの複数の微小突起を挿通させて係合させるとともに、この面ファスナーを当該重畳網と当該破損網との複数箇所において装着させる工程とを備えた網具の生産方法であって、上記面ファスナーは、  上記重畳網または上記破損網のいずれかに当接する基部を備え、上記微小突起は、  この基部から突出し、上記重畳網の網目と上記破損網の網目との両網目を挿通できる長さを有する柱部と、  この柱部から側方へ延出されて、上記基部と反対側の網目に係合する延出部とを備え、この延出部は、上記重畳網の網目と上記破損網の網目との両網目を挿通するときに撓み可能であり、この延出部の幅は、両網目を挿通した後は当該両網目の幅より大きく、挿通係合後には当該延出部は当該両網目から容易に離脱しないものであることを特徴とする網具の生産方法。
【００７５】
［７］薬剤の付いていない無薬剤網に薬剤の付いている重畳網を重ねる工程と、  この重畳網の網目と上記無薬剤網の網目との両網目に、面ファスナーの複数の微小突起を挿通させて係合させるとともに、この面ファスナーを当該重畳網と当該無薬剤網との複数箇所において装着させる工程とを備えた防虫網具の生産方法であって、上記面ファスナーは、  上記重畳網または上記無薬剤網のいずれかに当接する基部を備え、上記微小突起は、  この基部から突出し、上記重畳網の網目と上記無薬剤網の網目との両網目を挿通できる長さを有する柱部と、  この柱部から側方へ延出されて、上記基部と反対側の網目に係合する延出部とを備え、この延出部は、上記重畳網の網目と上記無薬剤網の網目との両網目を挿通するときに撓み可能であり、この延出部の幅は、両網目を挿通した後は当該両網目の幅より大きく、挿通係合後には当該延出部は当該両網目から容易に離脱しないことを特徴とする防虫網具の生産方法。
【００７６】
［８］上記網は施設に設けられ、上記面ファスナーの基部は上記網につき、当該施設の室内側から当接し、  上記重畳網は、当該施設の室内側から重ねられることを特徴とする請求項１記載の網補修具または請求項２記載の防虫網具。これにより、網の修復を室内側からのみ行なうことができ作業が容易になる。また、薬剤の付いている重畳網を室内側にのみ位置することができ、外側の虫などをむやみに駆除することがなく、人畜に害を与える室内側の虫などのみを駆除できる。
【００７７】
［９］上記延出部は、上記柱部先端から上記基部に向かって斜めに少なくとも２つ延出され、この２つの延出部は上記柱部に対して互いにほぼ１８０度ずれた位置から反対方向に延出され、この延出部は上記網目の網線とほぼ平行する方向に延びていることを特徴とする請求項１または３記載の網補修具または請求項２または３記載の防虫網具。これにより、先端から上記基部に向かって斜めに延出部が延出されているから、面ファスナーを網に挿通するとき、延出部は網目を挿通し易くなり、いったん網目に挿通すると延出部はしっかりと係合してはずれにくくなる。
【００７８】
［１０］上記微小突起は１つの面ファスナーにつき数個、十数個、３個乃至２０個、若しくは３個、４個、６個、８個、９個、１０個、１２個または１６個設けられ、上記面ファスナーは上記両網の一方の側からのみ装着され、当該面ファスナーには別の面ファスナーが係合されないことを特徴とする請求項１、３または４記載の網補修具または請求項２、３または４記載の防虫網具。これにより、重畳網（修繕網）６または重畳網（薬剤付網）２２を重畳係合する面ファスナーを、網（破損網）３または網（無薬剤網）２１の片側からのみ装着することができ、両側から装着する必要がなくなり、作業が容易になる。
【産業上の利用可能性】
【００７９】
網具の破損箇所に重畳網が重ねられて面ファスナーで固定され、破損した網が容易に補修される。従来の網具の網が交換されないで、網具に防虫機能が持たせられる。網具１の網（破損網）３または網（無薬剤網）２１に対して、重畳網（修繕網）６または重畳網（薬剤付網）２２が重ねられ、複数の面ファスナー７の微小突起１１が両網３、２１、６、２２の網目４、８を挿通係合する。網６、２２の網目８が小さいときには、網目８が長延出部３６のみを挿通し短延出部３５を挿通せず、網目８が斜めに係合し、網目８が小さくても全く係合しないということがない。
【図面の簡単な説明】
【００８０】
【図１】この発明の一実施の形態に係る網具１及び網補修具２の外観を示す。
【図２】同じく面ファスナー７及び微小突起１１の正面構造を示す。
【図３】同じく面ファスナー７及び微小突起１１の平面構造を示す。
【図４】同じく面ファスナー７及び微小突起１１の側面構造を示す。
【図５】同じく上記破損した網３を薬剤の付いていない無薬剤網２１とし、上記修繕用の重畳網６を薬剤の付いている重畳網２２とした例を示す。
【図６】同じく面ファスナー７及び微小突起１１の第２実施例の正面構造を示す。
【符号の説明】
【００８１】
１…網具、２…網補修具、
３…網（破損網）、４…網目、
５…網線、６…重畳網（修繕網）、
７…面ファスナー、８…網目、
９…網線、１１…微小突起、
１２…基部、１３…柱部、１４…延出部、
２１…網（無薬剤網）、２２…重畳網（薬剤付網）、
３１…太柱部、３２…細柱部、
３３、３４、３５…短延出部、３６…長延出部、
３７、３８、３９…短接合範囲、４０…長接合範囲。
【図１】
2007291788.tif 000003
【図２】
2007291788.tif 000004
【図３】
2007291788.tif 000005
【図４】
2007291788.tif 000006
【図５】
2007291788.tif 000007
【図６】
2007291788.tif 000008